(57)【特許請求の範囲】
【請求項１】
刃体と、
この刃体を揺動自在に支持する本体と、
この本体の上方空間を覆う覆い体とを備え、
前記本体及び前記覆い体の長手方向は、前記刃体の長手方向に対して直交する方向であって、前記本体及び前記覆い体の長手方向の寸法は、前記刃体の長手方向の寸法より大であり、
前記覆い体と前記本体で囲まれた空間の内、前記刃体の上方空間より前記刃体の切削方向に対して前側に位置する前側空間が前記刃体の上方空間より前記刃体の切削方向に対して後側に位置する後側空間より大に形成され、
前記刃体は、削った野菜又は果実の切削物を逃がすための長孔と、前記切削物の切削方向に対して前記長孔より後方に位置する刃部と、前記切削方向に対して前記長孔より前方に位置し、削る前の前記野菜又は前記果実に当接する当接部とを有し、
前記刃部は、前記長孔に臨む長手方向の刃の縁部である第１の刃部側縁部と、この第１の刃部側縁部と反対側の長手方向の縁部である第２の刃部側縁部とを有し、
前記当接部は、前記長孔に臨む長手方向の縁部である第１の当接部側縁部と、この第１の当接部側縁部と反対側の長手方向の縁部である第２の当接部側縁部とを有し、
前記本体の開口部の縁部は、前記第２の刃部側縁部に臨む第１の傾斜縁部と、前記第２の当接部側縁部に臨む第２の傾斜縁部とを有し、
前記刃体の本体の支持部は、前記第１の傾斜縁部及び前記第２の傾斜縁部の下方に位置し、
前記本体に設けた第１の規制部が、前記刃部に当接して前記刃体の時計回りの角度を規制し、前記本体に設けた第２の規制部が、前記当接部に当接して前記刃体の反時計回りの角度を規制し、
前記刃体が前記第１の規制部と前記第２の規制部で規制されない範囲で揺動する時、前記刃体の前記第１の刃部側縁部から前記第２の刃部側縁部に至る面に沿った向きが、前記第２の傾斜縁部と前記第１の傾斜縁部との間に位置し、前記刃体の前記第１の刃部側縁部から前記第２の刃部側縁部に至る面に沿った向きが、前記上方空間に向かうものであり、
前記第２の傾斜縁部と前記第１の傾斜縁部が、それぞれ直線的に前記上方空間に向かって、拡開状となる逆ハの字形状となる
ことを特徴とするピーラー。
【請求項２】
第１の刃部側縁部と第２の刃部側縁部との間の寸法を第１の当接部側縁部と第２の当接部側縁部との間の寸法より大きく形成する
ことを特徴とする請求項１記載のピーラー。
【発明の詳細な説明】
【技術分野】
【０００１】
本発明は、ピーラーに係り、特に、削った野菜の切削物を収納することができるピーラーに関する。
【背景技術】
【０００２】
従来、削った野菜の切削物を収納することができる皮ゴミ収納ボックス付き皮むき具
がある（例えば、特許文献１参照）。
【先行技術文献】
【特許文献】
【０００３】
【特許文献１】特開２００６−２８８９００号公報  図１参照
【発明の概要】
【発明が解決しようとする課題】
【０００４】
ところが、上記皮ゴミ収納ボックス付き皮むき具にあっては、刃部は設けられているものの、刃部が揺動する記載はない。
そのため、上記皮ゴミ収納ボックス付き皮むき具においては、野菜又は果実の形状に対応して、刃部が揺動せず、切削しづらいという問題点が生じる。
【０００５】
本発明は、前記問題点を考慮したなされたピーラーを提供することを目的とする。
【課題を解決するための手段】
【０００６】
請求項１記載のピーラーは、刃体と、この刃体を揺動自在に支持する本体と、この本体の上方空間を覆う覆い体とを備え、前記本体及び前記覆い体の長手方向は、前記刃体の長手方向に対して直交する方向であって、前記本体及び前記覆い体の長手方向の寸法は、前記刃体の長手方向の寸法より大であり、前記覆い体と前記本体で囲まれた空間の内、前記刃体の上方空間より前記刃体の切削方向に対して前側に位置する前側空間が前記刃体の上方空間より前記刃体の切削方向に対して後側に位置する後側空間より大に形成され、前記刃体は、削った野菜又は果実の切削物を逃がすための長孔と、前記切削物の切削方向に対して前記長孔より後方に位置する刃部と、前記切削方向に対して前記長孔より前方に位置し、削る前の前記野菜又は前記果実に当接する当接部とを有し、前記刃部は、前記長孔に臨む長手方向の刃の縁部である第１の刃部側縁部と、この第１の刃部側縁部と反対側の長手方向の縁部である第２の刃部側縁部とを有し、前記当接部は、前記長孔に臨む長手方向の縁部である第１の当接部側縁部と、この第１の当接部側縁部と反対側の長手方向の縁部である第２の当接部側縁部とを有し、前記本体の開口部の縁部は、前記第２の刃部側縁部に臨む第１の傾斜縁部と、前記第２の当接部側縁部に臨む第２の傾斜縁部とを有し、前記刃体の本体の支持部は、前記第１の傾斜縁部及び前記第２の傾斜縁部の下方に位置し、前記本体に設けた第１の規制部が、前記刃部に当接して前記刃体の時計回りの角度を規制し、前記本体に設けた第２の規制部が、前記当接部に当接して前記刃体の反時計回りの角度を規制し、前記刃体が前記第１の規制部と前記第２の規制部で規制されない範囲で揺動する時、前記刃体の前記第１の刃部側縁部から前記第２の刃部側縁部に至る面に沿った向きが、前記第２の傾斜縁部と前記第１の傾斜縁部との間に位置し、前記刃体の前記第１の刃部側縁部から前記第２の刃部側縁部に至る面に沿った向きが、前記上方空間に向かうものであり、前記第２の傾斜縁部と前記第１の傾斜縁部が、それぞれ直線的に前記上方空間に向かって、拡開状となる逆ハの字形状となるものである。
【０００７】
また、請求項２記載のピーラーは、請求項１記載のピーラーにおいて、第１の刃部側縁部と第２の刃部側縁部との間の寸法を第１の当接部側縁部と第２の当接部側縁部との間の寸法より大きく形成するものである。
【発明の効果】
【０００９】
請求項１記載のピーラーによれば、刃体は、第１の規制部と第２の規制部で規制されない範囲で揺動して、野菜又は果実の切削を容易にすると共に、刃体が第１の規制部と第２の規制部で規制されない範囲で揺動する時、刃体の第１の刃部側縁部から第２の刃部側縁部に至る面に沿った向きが、第２の傾斜縁部と第１の傾斜縁部との間に位置しているため、刃で削られた野菜又は果実の切削物は、刃体の第１の刃部側縁部から第２の刃部側縁部に至る面に沿って案内され、本体の開口部より本体と覆い体との空間に導かれ、収納され、使用勝手の良好なピーラーを得ることができる。
【００１０】
また、請求項２記載のピーラーによれば、前述した請求項１記載の発明の効果に加え、第１の刃部側縁部と第２の刃部側縁部との間の寸法を第１の当接部側縁部と第２の当接部側縁部との間の寸法より大きく形成するため、第１の刃部側縁部と第２の刃部側縁部との間の寸法を第１の当接部側縁部と第２の当接部側縁部との間の寸法と同じとしたものに比べ、第１の傾斜縁部の面を小さくすることができ、その分、第１の傾斜縁部の影響を少なくして野菜又は果実を容易に切削することができる。
【図面の簡単な説明】
【００１２】
【図１】図１は、本発明の一実施例のピーラーの概略的斜視図である。
【図２】図２は、図１のピーラーの覆い体を取り、斜め上方より見た概略的斜視図である。
【図３】図３は、図１のピーラーの覆い体を取り、上方より見た概略的平面図である。
【図４】図４は、図１のＡ−Ａ線による概略的断面図である。
【図５】図５は、図３の刃体が第１の規制部により規制された状態のＡ−Ｂ線による概略的断面図である。
【図６】図６は、図３の刃体が第２の規制部により規制された状態のＡ−Ｂ線による概略的断面図である。
【図７】図７は、図１のピーラーの使用状態を示す概略的断面図である。
【図８】図８は、図１の刃体の概略的斜視図である。
【図９】図９は、図１のピーラーの刃体と異なる他の実施例の刃体の概略的断面図である。
【図１０】図１０は、図９の刃体と異なる他の実施例の刃体の概略的断面図である。
【図１１】図１１は、図１０の刃体と異なる他の実施例の刃体の概略的断面図である。
【発明を実施するための形態】
【００１３】
本発明の一実施例のピーラーを図面（図１乃至図８）を参照して説明する。  
図１及び図７に示すＰはピーラーで、ピーラーＰは、刃体１と、この刃体１を揺動自在に支持する本体２と、この本体２の上方空間を覆う覆い体３とを備えている。
【００１４】
刃体１は、図８に示すように、削った野菜４（又は果実）の切削物４ａを逃がすための長孔１ａと、前記切削物４ａの切削方向Ａ（図７参照）に対して長孔１ａより後方に位置する刃部１ｂと、切削方向Ａに対して長孔１ａより前方に位置し、削る前の野菜４（又は果実）に当接する当接部１ｃとを有している。
刃部１ｂは、図８に示すように、長孔１ａに臨む長手方向の刃の縁部である第１の刃部側縁部１ｂＡと、この第１の刃部側縁部１ｂＡと反対側の長手方向の縁部である第２の刃部側縁部１ｂＢとを有している。また、当接部１ｃは、長孔１ａに臨む長手方向の縁部である第１の当接部側縁部１ｃＡと、この第１の当接部側縁部１ｃＡと反対側の長手方向の縁部である第２の当接部側縁部１ｃＢとを有している。
また、本体２の開口部２ａの縁部は、図７に示すように、第２の刃部側縁部１ｂＢに臨む第１の傾斜縁部２ａＡと、第２の当接部側縁部１ｃＢに臨む第２の傾斜縁部２ａＢとを有している。
刃体１は、第１の傾斜縁部２ａＡ及び第２の傾斜縁部２ａＢの下方に位置した本体２の支持部[支持部は、２つあるが、一方の支持部Ｘ（図２参照）のみ図示している。]で支持されている。
また、図３乃至図６に示す１０は、本体２の側壁２１に設けた凸状の規制部で、１０Ａは第１の規制部、１０Ｂは第２の規制部である。
即ち、本体１０に設けた第１の規制部１０Ａ（図４参照）が、図５に示すように刃部１ｂに当接して刃体１の時計回りの角度を規制し、本体１０に設けた第２の規制部１０Ｂ（図４参照）が、図６に示すように、当接部１ｃに当接して刃体１の反時計回りの角度を規制するようになっている。
従って、刃体１は、第１の規制部１０Ａと第２の規制部１０Ｂで規制されない範囲で揺動することとなる。
そして、刃体１が第１の規制部１０Ａと第２の規制部１０Ｂで規制されない範囲で揺動する時、刃体１の第１の刃部側縁部１ｂＡから第２の刃部側縁部１ｂＢに至る面に沿った向き（図５のＰ、図６のＱ）が、図５及び図６に示すように、第２の傾斜縁部２ａＢと第１の傾斜縁部２ａＡとの間に位置している。
【００１５】
上述したピーラーＰによれば、野菜４（又は果実）の形状に対応して、刃体１は、第１の規制部１０Ａと第２の規制部１０Ｂで規制されない範囲で揺動して、野菜４（又は果実）の切削を容易にすると共に、刃体１が第１の規制部１０Ａと第２の規制部１０Ｂで規制されない範囲で揺動する時、刃体１の第１の刃部側縁部１ｂＡから第２の刃部側縁部１ｂＢに至る面に沿った向きが、第２の傾斜縁部２ａＢと第１の傾斜縁部２ａＡとの間に位置しているため、刃で削られた野菜４（又は果実）の切削物４ａは、刃体１の第１の刃部側縁部１ｂＡから第２の刃部側縁部１ｂＢに至る面に沿って案内され、本体２の開口部２ａより本体２と覆い体３との空間に導かれ、収納され、使用勝手の良好なピーラーＰを得ることができる。
なお、野菜４の切削物４ａは、図７に示すように、本体２と覆い体３との間の空間（例えば、前側空間３Ｂ）に収納され、野菜４の切削物４ａの量がある程度達した段階で、本体２と覆い体３を分離して、野菜４の切削物４ａを本体２の外へと排出するようにする。
【００１６】
また、第１の刃部側縁部１ｂＡと第２の刃部側縁部１ｂＢとの間の寸法Ｍは、図８に示すように、第１の当接部側縁部１ｃＡと第２の当接部側縁部１ｃＢとの間の寸法ｍより大きく形成されている（Ｍ＞ｍ）。
これは、第１の刃部側縁部１ｂＡと第２の刃部側縁部１ｂＢとの間の寸法Ｍを第１の当接部側縁部１ｃＡと第２の当接部側縁部１ｃＢとの間の寸法ｍと同じとしたものに比べ、第１の傾斜縁部２ａＡの面を小さくすることができ、その分、第１の傾斜縁部２ａＡの影響を少なくして、野菜４（又は果実）を容易に切削することができるようにするためである。
なお、上述した実施例では、刃体１を曲面に形成したが、図１０に示すように、直線的に設けても良く、場合により、図９及び図１１に示すように、第１の刃部側縁部１ｂＡと第２の刃部側縁部１ｂＢとの間の寸法Ｍを第１の当接部側縁部１ｃＡと第２の当接部側縁部１ｃＢとの間の寸法ｍと同じとしても良い（Ｍ＝ｍ）。
【００１７】
また、図７に示すように、刃体１の上方に本体２の開口部２ａが位置し、覆い体３の内方であって、開口部２ａの上方に上方空間３Ａ、上方空間３Ａより切削方向Ａに対して前側に前側空間３Ｂ及び上方空間３Ａより切削方向Ａに対して後側に後側空間３Ｃが、それぞれ形成されている。
なお、本体２の開口部２ａの上方より切削方向Ａに対して後側に空間がないと、刃で削られた野菜４（又は果実）の切削物が本体２の開口部２ａの上方の覆い体３の前壁又は天井壁に当たると共に、本体２の開口部２ａの側に戻され、刃で削られようとする野菜４（又は果実）の切削物に接触し、野菜４（又は果実）の切削を阻害するという不具合を生じるが、本実施例のピーラーＰによれば、刃体１の上方に本体２の開口部２ａが位置し、覆い体３の内方であって、本体２の開口部２ａの上方より野菜４（又は果実）の切削方向Ａに対して後側に後側空間３Ｃが形成されているため、刃で削られた野菜４（又は果実）の切削物を本体２の開口部２ａより後側空間３Ｃに導くようにして、上述の不具合を防ぐことができる。
【符号の説明】
【００１８】
Ｐ      ピーラー
１      刃体
１ａ    長孔
１ｂ    刃部
１ｂＡ  第１の刃部側縁部
１ｂＢ  第２の刃部側縁部
１ｃ    当接部材
２      本体
２ａＡ  第１の傾斜縁部
２ａＢ  第２の傾斜縁部
３      覆い体
１０Ａ  第１の規制部
１０Ｂ  第２の規制部
【図１】
0005878734.tif 000002
【図２】
0005878734.tif 000003
【図３】
0005878734.tif 000004
【図４】
0005878734.tif 000005
【図５】
0005878734.tif 000006
【図６】
0005878734.tif 000007
【図７】
0005878734.tif 000008
【図８】
0005878734.tif 000009
【図９】
0005878734.tif 000010
【図１０】
0005878734.tif 000011
【図１１】
0005878734.tif 000012